(57)【要約】【課題】光ディスクの挿入時に、付着している塵埃を効率良く除去して装置内部への塵埃の侵入を防止できる高品質の光ディスク装置を提供する。【解決手段】光ディスクＤを挿入・排出するローラ８を備えたメインシャーシ１にカバーシャーシ２を被着した光ディスク装置において、光ディスクの挿入時に光ディスクに圧接するカバーシャーシ側のフラップ１５と、光ディスクに圧接するローラベース８０の後縁部８０ａに、光ディスクの直径よりも長いテープ状の不織布又はフェルトからなる塵埃清掃材１４を貼着した構成とする。光ディスクＤの挿入時に塵埃清掃材１４が光ディスクの両面に圧接して、両面に付着している塵埃を拭き取り、塵埃を効率良く除去して装置内部への侵入を防止できる。【選択図】図４
2008226303.tif 000002
【特許請求の範囲】
【請求項１】
光ディスクを挿入・排出するローラをローラベースに保持させたメインシャーシの内側に、光ピックアップやターンテーブルが搭載されたトラバースシャーシをその後端部で上下回動自在に取付けると共に、このトラバースシャーシを上下に回動させるカムスライダーをメインシャーシに取付け、光ディスクをローラに押し付けるフラップが裏面側に設けられたカバーシャーシをメインシャーシに被着して、カバーシャーシにクランパーを回転自在に保持させた光ディスク装置において、
上記ローラで光ディスクを挿入・排出するときに光ディスクに圧接する上記フラップと上記ローラベースの後縁部に、塵埃清掃材として光ディスクの直径よりも長いテープ状の厚さ０．１〜１．５ｍｍの柔軟な不織布又はフェルトを横向きに貼着したことを特徴とする光ディスク装置。
【請求項２】
光ディスクを挿入・排出するローラを備えたメインシャーシにカバーシャーシを被着した光ディスク装置において、
上記ローラで光ディスクを挿入・排出するときに光ディスクに圧接するカバーシャーシ側の圧接部分とメインシャーシ側の圧接部分に、塵埃清掃材を取付けたことを特徴とする光ディスク装置。
【請求項３】
カバーシャーシ側の圧接部分が、光ディスクをローラに押し付けるフラップであることを特徴とする請求項２に記載の光ディスク装置。
【請求項４】
メインシャーシ側の圧接部分が、ローラを保持するローラベースの後縁部であることを特徴とする請求項２に記載の光ディスク装置。
【請求項５】
塵埃清掃材が、光ディスクの直径よりも長いテープ状の塵埃清掃材であることを特徴とする請求項２に記載の光ディスク装置。
【発明の詳細な説明】
【技術分野】
【０００１】
本発明はＣＤ、ＤＶＤなどの光ディスク装置に関し、特に、光ディスクを挿入するときに光ディスクに付着している塵埃を効率良く除去して装置内部への塵埃の侵入を防止できるように改良した光ディスク装置に関する。
【背景技術】
【０００２】
ローラによって光ディスクを挿入・排出する従来のスロットイン方式の光ディスク装置は、そのフロントパネルのディスク挿入口に塵埃清掃材を取付けることによって、光ディスクの挿入時に光ディスクに付着している塵埃を塵埃清掃材で除去し、塵埃の装置内部への侵入を防止するように図ったものが多い。
【０００３】
また、ディスクに付着した塵埃の除去や侵入防止を図るために、ケースの内壁に、磁気ディスクのディスク面にソフトタッチで接触して塵埃を払拭する清掃用ライナを配置した磁気ディスク装置（特許文献１）や、光ディスクが光学ヘッドと対向する位置にセットされたとき、光ディスクに帯電した静電気を除去する除電手段を設けた光ディスク装置（特許文献２）や、ディスク挿入口にダストカバーと防塵シートを設けたディスクドライブ装置（特許文献３）なども提案されている。
【特許文献１】特開平６−１６２７６１号公報
【特許文献２】特開平３−７８１５７号公報
【特許文献３】特開平１０−２６９６６４号公報
【発明の開示】
【発明が解決しようとする課題】
【０００４】
しかしながら、上述した従来の光ディスク装置は、ディスク挿入口に取付けられた塵埃清掃材が光ディスクの表面に単に接触するだけで、圧接しないため、光ディスクに付着している塵埃を塵埃清掃材で拭き取る作用が弱く、塵埃を効率良く除去できないという問題がある。
【０００５】
一方、上記特許文献１の磁気ディスク装置は、ケース内壁に清掃用ライナを配置するため、部品点数や組立工数が増加してコストアップを招くという問題があり、しかも、ディスクの回転中は清掃用ライナがディスク面を摩擦するため、ディスク面が損傷しやすいという問題もある。
【０００６】
そして、上記特許文献２の光ディスク装置は、除電手段として、金属製ロッドに導電性ブラシを植設したものを組み込むため、やはり部品点数や組立工数が増加してコストアップを招くという問題あり、また、上記特許文献３のディスクドライブ装置は、ディスク挿入口に設けたダストカバーと防塵シートによって塵埃の装置内部への侵入を多少は防止できるというものの、光ディスクに付着した塵埃は除去できないという問題がある。
【０００７】
本発明は上記事情の下になされたもので、その解決しようとする課題は、光ディスクを挿入するときに光ディスクに付着している塵埃を効率良く除去して装置内部への塵埃の侵入を防止できる高品質の光ディスク装置を、実質的なコストアップを招くことなく提供することにある。
【課題を解決するための手段】
【０００８】
上記課題を解決するため、本発明の光ディスク装置は、光ディスクを挿入・排出するローラを備えたメインシャーシにカバーシャーシを被着した光ディスク装置において、上記ローラで光ディスクを挿入・排出するときに光ディスクに圧接するカバーシャーシ側の圧接部分とメインシャーシ側の圧接部分に、塵埃清掃材を取付けたことを特徴とするものである。
【０００９】
本発明の光ディスク装置においては、カバーシャーシ側の圧接部分が、光ディスクをローラに押し付けるフラップであることが望ましく、メインシャーシ側の圧接部分が、ローラを保持するローラベースの後縁部であることが望ましい。また、塵埃清掃材は、光ディスクの直径よりも長いテープ状の塵埃清掃材であることが望ましい。
【００１０】
そして、本発明の更に具体的な望ましい光ディスク装置は、光ディスクを挿入・排出するローラをローラベースに保持させたメインシャーシの内側に、光ピックアップやターンテーブルが搭載されたトラバースシャーシをその後端部で上下回動自在に取付けると共に、このトラバースシャーシを上下に回動させるカムスライダーをメインシャーシに取付け、光ディスクをローラに押し付けるフラップが裏面側に設けられたカバーシャーシをメインシャーシに被着して、カバーシャーシにクランパーを回転自在に保持させた光ディスク装置において、上記ローラで光ディスクを挿入・排出するときに光ディスクに圧接する上記フラップと上記ローラベースの後縁部に、塵埃清掃材として光ディスクの直径よりも長いテープ状の厚さ０．１〜１．５ｍｍの柔軟な不織布又はフェルトを横向きに貼着したことを特徴とするものである。
【発明の効果】
【００１１】
本発明の光ディスク装置は、光ディスクを挿入・排出するときに光ディスクに圧接するカバーシャーシ側の圧接部分とメインシャーシ側の圧接部分に、塵埃清掃材を取付けているため、ローラで光ディスクを装置内へ挿入するときに、塵埃清掃材が光ディスクの両面に圧接して、両面に付着している塵埃を拭き取り、塵埃を効率良く除去して装置内部への侵入を防止することができる。しかも、塵埃清掃材を圧接部分に取付けるだけでよいから、実質的なコストアップを招くこともない。
【００１２】
塵埃清掃材を取付けるカバーシャーシ側の圧接部分としては、光ディスクをローラに押し付けるフラップが最適であり、このフラップに塵埃清掃材を取付けるとフラップの押圧力が適度であるため、塵埃清掃材で光ディスクの片面（上面）を傷つけることなく塵埃を拭き取ることができる。
【００１３】
また、塵埃清掃材を取付けるメインシャーシ側の圧接部分としては、ローラを保持するローラベースの後縁部が最適であり、この後縁部に塵埃清掃材を取付けると、塵埃清掃材が上記フラップの押圧力に対する反力で光ディスクの反対面（下面）に圧接し、反対面を傷つけることなく塵埃を拭き取ることができる。
【００１４】
更に、塵埃清掃材が光ディスクの直径よりも長いテープ状の塵埃清掃材であると、光ディスクの両面全体を残すところなく拭き取って塵埃を除去することができる。
【００１５】
そして、本発明の更に具体的な光ディスク装置のように、塵埃清掃材として光ディスクの直径よりも長いテープ状の厚さ０．１〜１．５ｍｍの柔軟な不織布又はフェルトを横向きに貼着すると、その良好な除塵作用によって塵埃除去効率を更に向上させることができる。
【発明を実施するための最良の形態】
【００１６】
以下、図面を参照して本発明の具体的な実施形態を詳述する。
【００１７】
図１は本発明の一実施形態に係る光ディスク装置の平面図、図２はカバーシャーシを外した同光ディスク装置の斜視図、図３は裏返したカバーシャーシの斜視図、図４は同光ディスク装置の要部概略断面図である。
【００１８】
この光ディスク装置は、合成樹脂製のメインシャーシ１の上に合成樹脂製のカバーシャーシ２を被着したものであって、図１，図２に示すように、メインシャーシ１の内側にはトラバースシャーシ３がその後端両側部で上下回動可能に取付けられている。
【００１９】
トラバースシャーシ３には、図１，図２に示すように、光ピックアップ４やターンテーブル５などが搭載されており、光ピックアップ４は、ガイド軸６に沿って、トラッキング方向、即ち、ターンテーブル５に対して接近・離反する方向に移動するようになっている。そして、ターンテーブル５はトラバースシャーシ２に搭載されたスピンドルモータの出力軸に固定されており、トラバースシャーシ２が上向きに回動（上昇）したときに、カバーシャーシ２のクランパー保持部２ａに保持されたクランパー７と、このターンテーブル５との間に光ディスクを挟んで回転させるようになっている。
【００２０】
また、メインシャーシ１の前面のディスク挿入口の奥には、図２，図４に示すように、光ディスクＤを挿入・排出するローラ８を保持したローラベース８０が取付けられており、このローラベース８０の後縁部８０ａの上面には、テープ状の塵埃清掃材１４が横向きに貼着されている。
【００２１】
上記の塵埃清掃材１４は、光ディスクの挿入時に、その裏面に付着している塵埃を除去するものであって、光ディスクの直径よりも長いテープ状の厚さ０．１〜１．５ｍｍの柔軟な不織布又はフェルトが好ましく貼着される。このような不織布又はフェルトからなる塵埃清掃材１４は良好な除塵作用を発揮するが、光ディスクの直径よりも短い塵埃清掃材は、光ディスクの裏面全体を拭き取ることができないので使用困難であり、また、０．１ｍｍよりも薄い不織布やフェルトは柔軟性やクッション性に劣ることに加えて除塵作用（塵埃の拭き取り作用）が充分でなく、更に、１．５ｍｍよりも厚い不織布やフェルトは、それに見合うだけの顕著な塵埃除去効率の向上を期待することができないので材料の無駄となり、いずれも好ましくない。尚、上記の不織布やフェルトには、必要に応じて液状潤滑剤などを含浸させることにより、ディスク面の摩耗、損傷を防止することが望ましい。
【００２２】
ローラベース８０の裏側のメインシャーシ１には、図１に示すようにカムスライダー９が左右スライド可能に取付られている。そして、このカムスライダー９のカム溝には、トラバースシャーシ３の前端の凸部３ａが挿入されており、カムスライダー９が左右にスライドすると、凸部３ａがカム溝内を摺動してトラバースシャーシ３が上下に回動（昇降）するようになっている。
【００２３】
一方、カバーシャーシ２の裏面には、図３，図４に示すように、フラップ１５がディスク挿入口の奥側に位置するように配置され、フラップ後縁部１５ａが上下回動自在となるようにフラップ１５の左右両端の凸軸部１５ｂがカバーシャーシ２の両側壁の軸受部２ｅで軸受されて取付けられている。このフラップ１５は、その後縁部１５ａで光ディスクＤをローラ８に押し付けることによって光ディスクＤの挿入・排出動作を確実に行わせるものであり、光ディスクＤに圧接する後縁部１５ａの下面には、前記の塵埃清掃材１４と同じ塵埃清掃材１４が横向きに貼着されている。
【００２４】
また、カバーシャーシ２の上面の片側には、図１に示すように配線基板取付部２ｂが形成されており、そこに配線基板（不図示）が取付けられるようになっている。そして、この配線基板取付部２ｂと反対側のカバーシャーシ上面には、レバー１０が回転可能に取付けられており、また、カバーシャーシ２の中央部の裏面には、図１，図３に示すように第一のスライド部材１１が取付けられている。この第一のスライド部材１１は、ディスク挿入口から挿入された光ディスクに押されてガイドスリット２ｃ沿いにスライドするようになっており、このスライド部材１１のガイドスリット２ｃから突き出した連結用突起１１ａには、上記レバー１０の一端の長穴１０ａが嵌合連結されている。そして、このカバーシャーシ２は、その保持するクランパー７が前記のターンテーブル５の真上に位置するようにメインシャーシ１の上に被着されている。
【００２５】
更に、図１，図２に示すように、メインシャーシ１の片側には第二のスライド部材１２が前後スライド可能に設けられており、このスライド部材１２の後端の長穴１２ａには、前記レバー１０の他端側の連結用突起１０ｂ（カバーシャーシ２の円弧溝２ｄから裏側へ突き出した突起）が嵌合連結されている。この第二のスライド部材１２は、引張りバネで後方に付勢されており、このスライド部材１２の前端に形成された凸部１２ｂは、カムスライダー９のトリガーガイド溝９ａに係合するようになっている。
【００２６】
以上のような構成の光ディスク装置は、次のように動作して記録・再生が行われる。即ち、図４に示すように光ディスクＤをディスク挿入口から挿入すると、光ディスクＤはフラップ１５の後縁部１５ａでローラ８に押し付けられながら、ローラ８によってターンテーブル５の方へ移送される。このとき、フラップ１５の後縁部１５ａに貼着された柔軟な塵埃清掃材１４は光ディスクＤの上面に適度な押圧力で圧接し、また、ローラベース８０の後縁部８０ａに貼着された柔軟な塵埃清掃材１４も、フラップ１５の押圧力に対する反力で光ディスクＤの下面に圧接するため、光ディスクＤの両面を傷つけることなく、光ディスクＤの両面に付着している塵埃を拭き取りながら、塵埃を効率良く除去して装置内部への侵入を防止することができる。
【００２７】
上記のように光ディスクが挿入されると、第一のスライド部材１１が光ディスクに押されてガイドスリット２ｃに沿って後方へスライドし、レバー１０が反時計回り方向に回動して第二のスライド部材１２が前方に移動するため、この第二のスライド部材１２の先端の凸部１２ｂ（トリガーガイドに係合する凸部）によってカムスライダー９が右方向へ少し移動する。これにより、カムスライダー９のラックギヤ９ｂが駆動ピニオンギヤ１３と噛合してカムスライダー９は右方向へ移動し、トラバースシャーシ３が上向きに回動（上昇）して、ターンテーブル５とクランパー７との間に光ディスクが挟まれて回転する。すると、光ピックアップ４がガイド軸６に沿ってターンテーブル５の方へ移動しながら、レーザービームを光ディスクに照射し、その反射ビームが光ピックアップ４の光検出器で検出されて記録・再生が行われる。そして、記録・再生が終わると、上記と逆動作して光ディスクがディスク挿入口から排出される。
【００２８】
以上、代表的な実施形態を例示して本発明の光ディスク装置を説明したが、本発明はこの実施形態のみに限定されるものではなく、光ディスクを挿入・排出するローラを備えたメインシャーシにカバーシャーシを被着してなるスロットイン方式の種々の光ディスク装置に適用されるものである。
【図面の簡単な説明】
【００２９】
【図１】本発明の一実施形態に係る光ディスク装置の平面図である。
【図２】カバーシャーシを外した同光ディスク装置の斜視図である。
【図３】裏返したカバーシャーシの斜視図である。
【図４】同光ディスク装置の要部概略断面図である。
【符号の説明】
【００３０】
１    メインシャーシ
２    カバーシャーシ
３    トラバースシャーシ
４    光ピックアップ
５    ターンテーブル
７    クランパー
８    ローラ
９    カムスライダー
１４  塵埃清掃材
１５  フラップ
８０  ローラベース
８０ａ  ローラベースの後縁部
Ｄ    光ディスク
【図１】
2008226303.tif 000003
【図２】
2008226303.tif 000004
【図３】
2008226303.tif 000005
【図４】
2008226303.tif 000006